(57)【特許請求の範囲】
【請求項１】
重力方向に延びる角筒状の本体と、
それぞれ、前記本体の第１の側面から突出し、前記本体の中心軸線方向に延びる一対の第１補強材挟持部と、
それぞれ、前記第１の側面の裏側に位置する、前記本体の第２の側面から突出し、前記本体の中心軸線方向に延びる一対の第２補強材挟持部と、
前記本体の第３の側面から突出し、前記本体の中心軸線方向に延びる支持部と、
前記支持部によって支持され、前記第３の側面に対向し、前記本体の中心軸線方向に延びるパネル挟持部と、を有する型枠保持具。
【請求項２】
重力方向に延びる角筒状の本体と、
それぞれ、前記本体の第１の側面から突出し、前記本体の中心軸線方向に延びる一対の第１補強材挟持部と、
それぞれ、前記第１の側面に直行する、前記本体の第２の側面から突出し、前記本体の中心軸線方向に延びる一対の第２補強材挟持部と、
前記本体を中心軸線方向に見たときに、前記第１の側面と前記第２の側面がなす角から遠い側に前記一対の第１補強材挟持部から離隔して前記第１の側面から突出し、前記本体の中心軸線方向に延びる第１パネル挟持部と、
前記本体を中心軸線方向に見たときに、前記第１の側面と前記第２の側面がなす角から遠い側に前記一対の第２補強材挟持部から離隔して前記第２の側面から突出し、前記本体の中心軸線方向に延びる第２パネル挟持部と、を有する入隅用の型枠保持具。
【請求項３】
重力方向に延びる角筒状の本体と、
それぞれ、前記本体の第１の側面から突出し、前記本体の中心軸線方向に延びる一対の第１補強材挟持部と、
それぞれ、前記第１の側面に直行する、前記本体の第２の側面から突出し、前記本体の中心軸線方向に延びる一対の第２補強材挟持部と、
前記本体を中心軸線方向に見たときに、前記第１の側面と前記第２の側面がなす角の側に前記一対の第１補強材挟持部から離隔して前記第１の側面から突出し、前記本体の中心軸線方向に延びる第１パネル挟持部と、
前記本体を中心軸線方向に見たときに、前記第１の側面と前記第２の側面がなす角の側に前記一対の第２補強材挟持部から離隔して前記第２の側面から突出し、前記本体の中心軸線方向に延びる第２パネル挟持部と、を有する出隅用の型枠保持具。
【請求項４】
前記一対の第１補強材挟持部の間隔および前記一対の第２補強材挟持部の間隔が、補強材の幅よりも小さく、摩擦力によって前記補強材を保持する請求項１から３のいずれか一項に記載の型枠保持具。
【請求項５】
前記一対の第１補強材挟持部及び前記一対の第２補強材挟持部が、補強材を固定する固定部材を通す貫通穴部を有する請求項１から４のいずれか一項に記載の型枠保持具。
【請求項６】
請求項１から５のいずれか一項に記載の型枠保持具と、前記型枠保持具に保持されたパネルと、前記型枠保持具に固定された補強材と、を有するコンクリート型枠。
【発明の詳細な説明】
【技術分野】
【０００１】
本発明は、鉄筋コンクリート造の基礎の立ち上がり部の成型に用いられる型枠保持具及びコンクリート型枠に関するものである。
【背景技術】
【０００２】
鉄筋コンクリート造の基礎立ち上がり部を成型する型枠において、コンクリート型枠用合板を桟木で補強した型枠パネルが用いられている（例えば、下記特許文献１）。
【先行技術文献】
【特許文献】
【０００３】
【特許文献１】特開２００５−２８２１５４号公報
【発明の概要】
【発明が解決しようとする課題】
【０００４】
特許文献１に記載されているような型枠パネルは厚さ寸法が大きいため、大きな保管スペースが必要になるという問題がある。
【０００５】
本発明は、上記課題に鑑み、基礎型枠を構成する資材の保管に要するスペースを小さくする型枠保持具及びコンクリート型枠を提供することを目的とする。
【課題を解決するための手段】
【０００６】
上記課題を解決するため、本願発明の第１の態様に係る型枠保持具は、
重力方向に延びる角筒状の本体と、
それぞれ、前記本体の第１の側面から突出し、前記本体の中心軸線方向に延びる一対の第１補強材挟持部と、
それぞれ、前記第１の側面の裏側に位置する、前記本体の第２の側面から突出し、前記本体の中心軸線方向に延びる一対の第２補強材挟持部と、
前記本体の第３の側面から突出し、前記本体の中心軸線方向に延びる支持部と、
前記支持部によって支持され、前記第３の側面に対向し、前記本体の中心軸線方向に延びるパネル挟持部と、を有する。
【０００７】
上記課題を解決するため、本願発明の第２の態様に係る入隅用の型枠保持具は、
重力方向に延びる角筒状の本体と、
それぞれ、前記本体の第１の側面から突出し、前記本体の中心軸線方向に延びる一対の第１補強材挟持部と、
それぞれ、前記第１の側面に直行する、前記本体の第２の側面から突出し、前記本体の中心軸線方向に延びる一対の第２補強材挟持部と、
前記本体を中心軸線方向に見たときに、前記第１の側面と前記第２の側面がなす角から遠い側に前記一対の第１補強材挟持部から離隔して前記第１の側面から突出し、前記本体の中心軸線方向に延びる第１パネル挟持部と、
前記本体を中心軸線方向に見たときに、前記第１の側面と前記第２の側面がなす角から遠い側に前記一対の第２補強材挟持部から離隔して前記第２の側面から突出し、前記本体の中心軸線方向に延びる第２パネル挟持部と、を有する。
【０００８】
上記課題を解決するため、本願発明の第３の態様に係る出隅用の型枠保持具は、
重力方向に延びる角筒状の本体と、
それぞれ、前記本体の第１の側面から突出し、前記本体の中心軸線方向に延びる一対の第１補強材挟持部と、
それぞれ、前記第１の側面に直行する、前記本体の第２の側面から突出し、前記本体の中心軸線方向に延びる一対の第２補強材挟持部と、
前記本体を中心軸線方向に見たときに、前記第１の側面と前記第２の側面がなす角の側に前記一対の第１補強材挟持部から離隔して前記第１の側面から突出し、前記本体の中心軸線方向に延びる第１パネル挟持部と、
前記本体を中心軸線方向に見たときに、前記第１の側面と前記第２の側面がなす角の側に前記一対の第２補強材挟持部から離隔して前記第２の側面から突出し、前記本体の中心軸線方向に延びる第２パネル挟持部と、を有する。
【０００９】
上記課題を解決するため、本願発明の第４の態様に係るコンクリート型枠は、上記第１の態様から第３の態様のいずれかの型枠保持具と、前記型枠保持具に保持されたパネルと、前記型枠保持具に固定された補強材と、を有する。
【発明の効果】
【００１０】
本発明によれば、基礎型枠を構成する資材の保管に要するスペースを小さくする型枠保持具を提供する型枠保持具及びコンクリート型枠を提供することができる。
【図面の簡単な説明】
【００１１】
【図１】本願の実施形態に係る型枠保持具を示す図である。図１（ａ）は図１（ｂ）に示すＡ−Ａ断面図、図１（ｂ）は側面図である。
【図２】本願の実施形態に係る型枠保持具を有するコンクリート型枠を示す図である。図２（ａ）は図２（ｂ）に示すＢ−Ｂ断面図、図２（ｂ）は側面図である。
【図３】本願の実施形態に係る型枠保持具を有するコンクリート型枠を示す図である。図３（ａ）は入隅を形成する型枠の断面図、図３（ｂ）は出隅を形成する型枠の断面図である。
【発明を実施するための形態】
【００１２】
図１及び図２を参照して、本願の実施形態に係る型枠保持具１０及び型枠保持具１０を用いたコンクリート型枠について説明する。なお、本願において、上下は、特に記載がない限り、コンクリート型枠を組み立てた状態における上下を言うものとする。
【００１３】
型枠保持具１０は、図１に示すように、本体１１と、一対の第１補強材挟持部１２ａ、１２ｂと、一対の第２補強材挟持部１３ａ、１３ｂと、支持部１４と、パネル挟持部１５と、を有する。型枠保持具１０は、例えば、金属材料から形成することができ、好ましくは、アルミ合金から形成される。
【００１４】
本体１１は、重力方向に延びる角筒状をしている。一対の第１補強材挟持部１２ａ、１２ｂは、それぞれ、本体１１の第１の側面（図１（ａ）に向かって左側の側面）から突出し、本体１１の中心軸線方向に延びている。一対の第１補強材挟持部１２ａ、１２ｂは互いに平行に延びていることが好ましい。一対の第２補強材挟持部１３ａ、１３ｂは、第１の側面の裏側に位置する、本体１１の第２の側面（図１（ａ）に向かって右側の側面）から突出し、本体１１の中心軸線方向に延びている。一対の第２補強材挟持部１３ａ、１３ｂは互いに平行に延びていることが好ましい。
【００１５】
支持部１４は、本体１１の第３の側面（図１（ａ）の上側の側面）から突出し、本体１１の中心軸線方向に延びている。パネル挟持部１５は、支持部１４によって支持され、本体１１の第３の側面に対向し、本体１１の中心軸線方向に延びている。パネル挟持部１５は本体１１の第３の側面と平行に延びていることが好ましい。図１（ｂ）に示すように、本体１１と、一対の第１補強材挟持部１２ａ、１２ｂと、一対の第２補強材挟持部１３ａ、１３ｂと、支持部１４と、パネル挟持部１５は、長手方向において同一の寸法を有することが好ましい。
【００１６】
上記実施形態に係る型枠保持具１０によれば、基礎型枠を構成する資材の保管スペースを小さくすることができる。
【００１７】
型枠保持具１０は、コンクリート型枠において、図２に示すように用いられる。型枠保持具１０は、コンクリート型枠用合板１７と、補強材１８ｂを保持する。図２（ａ）に示すように、コンクリート型枠用合板１７の端部は、パネル挟持部１５と本体１１の間に差し込まれ、挟持される。
【００１８】
補強材１８ｂの端部は、一対の第１補強材挟持部１２ａ、１２ｂ又は一対の第２補強材挟持部１３ａ、１３ｂによって挟持される。一対の第１補強材挟持部１２ａ、１２ｂの間隔および一対の第２補強材挟持部１３ａ、１３ｂの間隔は、挿入される補強材１８ｂよりも小さく、摩擦力によって補強材１８ｂを挟持することが好ましい。これにより、ビスや釘等の固定部材１６による固定が不要となり、施工性を向上させることができる。固定部材１６による固定を行う場合、一対の第１補強材挟持部１２ａ、１２ｂおよび一対の第２補強材挟持部１３ａ、１３ｂは、固定部材１６を通す貫通穴部１２ｃ、１３ｃをそれぞれ有することが好ましい。これにより、固定部材１６による固定を容易にすることができる。上下方向において、中間位置に配置される補強材１８ｂは１本に限られず、必要な強度等に応じて複数本とすることができる。したがって、貫通穴部１２ｃ、１３ｃは、図１（ｂ）に示すように、上下に複数配置することが好ましい。
【００１９】
型枠保持具１０の上下にはそれぞれ補強材１８ａ、１８ｃが配置される。コンクリート型枠用合板１７は、型枠保持具１０よりも高さ寸法が大きく、補強材１８ａ、１８ｃの側面に接する。
【００２０】
図２（ａ）に示すように、コンクリート用型枠の組立が完了した後、コンクリート１９を打設する。型枠保持具１０を用いたコンクリート型枠に対向するコンクリート型枠は、同様に型枠保持具１０を用いたものとすることもできるが、例えば、室外側に型枠保持具１０を用いたコンクリート型枠を用い、室内側に亜鉛メッキ鋼板等のコンクリート打設後の撤去が不要な型枠を用いることもできる。これにより、室内側の型枠の撤去に要する作業を省略し、施工性を更に向上させるとともに、室外側の型枠を構成する資材を再利用することができる。
【００２１】
上に説明した型枠保持具１０を用いた型枠保持具１０を用いることで、コンクリート型枠用合板１７は、予め桟木を固定して補強しておく必要がなくなるため、小さいスペースに重ねて保管することができるようになる。型枠保持具１０及びこれを用いたコンクリート型枠は、特に都市部などで資材を保管するスペースの小さい現場において好適に用いることができる。
【００２２】
図３（ａ）は、入隅用の型枠保持具２０及びそれを用いたコンクリート型枠を示している。図３（ｂ）は、出隅用の型枠保持具３０及びそれを用いたコンクリート型枠を示している。入隅用の型枠保持具２０と出隅用の型枠保持具３０は、上記の型枠保持具１０と共に用いることができる。入隅用の型枠保持具２０は、上記の型枠保持具１０と多くの点で共通するため、型枠保持具１０について参照符号を付して説明した部分には、参照符号の数字に１０を足した数字の参照符号を付して、重複する説明を省略する。また、出隅用の型枠保持具３０も、上記の型枠保持具１０と多くの点で共通するため、型枠保持具１０について参照符号を付して説明した部分には、参照符号の数字に２０を足した数字の参照符号を付して、重複する説明を省略する。例えば、型枠保持具１０において説明した本体１１に対応する、入隅用の型枠保持具２０の本体には「２１」の参照符号を付し、出隅用の型枠保持具３０の本体には「３１」の参照符号を付す。
【００２３】
図３（ａ）に示すように、入隅用の型枠保持具２０は、本体２１と、対向する一対の第１補強材挟持部２２ａ、２２ｂと、対向する一対の第２補強材挟持部２３ａ、２３ｂと、第１パネル挟持部２５ａと、第２パネル挟持部２５ｂと、を有する。図３（ａ）においては、一対の第１補強材挟持部２２ａ、２２ｂと一対の第２補強材挟持部２３ａ、２３ｂが摩擦力によって補強材２８ｂを挟持する場合を示しているが、第１補強材挟持部２２ａと第２補強材挟持部２３ａは、上記第１実施形態と同様に、それぞれビス等の固定用部材を通す貫通孔部を有しても良い。
【００２４】
一対の第１補強材挟持部２２ａ、２２ｂは、本体２１の第１の側面（図３（ａ）に向かって左側の側面）から突出し、本体２１の中心軸線方向に延びている。一対の第１補強材挟持部２２ａ、２２ｂは互いに平行に延びていることが好ましい。一対の第２補強材挟持部２３ａ、２３ｂは、本体２１の第１の側面に直行する第２の側面（図３（ａ）の上側の側面）から突出し、本体２１の中心軸線方向に延びている。一対の第２補強材挟持部２３ａ、２３ｂは互いに平行に延びていることが好ましい。
【００２５】
第１パネル挟持部２５ａは、本体２１を中心軸線方向に見たときに、第１の側面と第２の側面がなす角から遠い側に、一対の第１補強材挟持部２２ａ、２２ｂから離隔して、第１の側面から突出し、本体２１の中心軸線方向に延びている。第１パネル挟持部２５ａは第１補強材挟持部２２ｂと平行に延びていることが好ましい。
【００２６】
第２パネル挟持部２５ｂは、本体２１を中心軸線方向に見たときに、第１の側面と第２の側面がなす角から遠い側に一対の第２補強材挟持部２３ａ、２３ｂから離隔して第２の側面から突出し、本体２１の中心軸線方向に延びている。第２パネル挟持部２５ｂは第２補強材挟持部２３ｂと平行に延びていることが好ましい。
【００２７】
入隅部を形成するコンクリート型枠においては、一対の第１補強材挟持部２２ａ、２２ｂが補強材２８ｂを挟持し、一対の第２補強材挟持部２３ａ、２３ｂが補強材２８ｂを挟持する。また、第１パネル挟持部２５ａと第１補強材挟持部２２ｂの間にコンクリート型枠用合板２７の端部が挟持され、第２パネル挟持部２５ｂと第２補強材挟持部２３ｂの間にコンクリート型枠用合板２７の端部が挟持される。これにより、入隅部を形成するコンクリート型枠においても、予め補強用の桟木を固定した型枠パネルを用いる必要が無くなり、基礎型枠を構成する資材の保管スペースを小さくすることができる。
【００２８】
図３（ｂ）に示すように、出隅用の型枠保持具３０は、本体３１と、対向する一対の第１補強材挟持部３２ａ、３２ｂと、対向する一対の第２補強材挟持部３３ａ、３３ｂと、第１パネル挟持部３５ａと、第２パネル挟持部３５ｂと、を有する。図３（ｂ）においては、一対の補強材挟持部３２ａ、３２ｂと一対の第１補強材挟持部３３ａ、３３ｂが摩擦力によって補強材３８ｂを挟持する場合を示しているが、第１補強材挟持部３２ｂと第２補強材挟持部３３ｂは、それぞれビス等の固定用部材を通す貫通孔部を有しても良い。
【００２９】
一対の第１補強材挟持部３２ａ、３２ｂは、本体３１の第１の側面（図３（ｂ）に向かって左側の側面）から突出し、本体３１の中心軸線方向に延びている。一対の第１補強材挟持部３２ａ、３２ｂは互いに平行に延びていることが好ましい。一対の第２補強材挟持部３３ａ、３３ｂは、本体３１の第１の側面に直行する第２の側面（図３（ｂ）の上側の側面）から突出し、本体３１の中心軸線方向に延びている。一対の第２補強材挟持部３３ａ、３３ｂは互いに平行に延びていることが好ましい。
【００３０】
第１パネル挟持部３５ａは、本体３１を中心軸線方向に見たときに、第１の側面と第２の側面がなす角の側に、一対の第１補強材挟持部３２ａ、３２ｂから離隔して、第１の側面から突出し、本体３１の中心軸線方向に延びている。第１パネル挟持部３５ａは第１補強材挟持部３２ａと平行に延びていることが好ましい。
【００３１】
第２パネル挟持部３５ｂは、本体３１を中心軸線方向に見たときに、第１の側面と第２の側面がなす角の側に一対の第２補強材挟持部３３ａ、３３ｂから離隔して第２の側面から突出し、本体３１の中心軸線方向に延びている。第２パネル挟持部３５ｂは第２補強材挟持部３３ａと平行に延びていることが好ましい。
【００３２】
出隅部を形成するコンクリート型枠においては、一対の第１補強材挟持部３２ａ、３２ｂが補強材３８ｂを挟持し、一対の第２補強材挟持部３３ａ、３３ｂが補強材３８ｂを挟持する。また、第１パネル挟持部３５ａと第１補強材挟持部３２ａの間にコンクリート型枠用合板３７の端部が挟持され、第２パネル挟持部３５ｂと第２補強材挟持部３３ａの間にコンクリート型枠用合板３７の端部が挟持される。これにより、出隅部を形成するコンクリート型枠においても、予め桟木を固定して補強した型枠パネルを用いる必要が無くなり、基礎型枠を構成する資材の保管スペースを小さくすることができる。
【００３３】
以上に具体的な実施形態の説明を行ったが、本願発明はこれに限定されるものではなく、種々の変更、改良が可能である。例えば、型枠保持具１０の本体１１の断面形状は、上記実施形態の図では略正方形としているが、必要な強度に応じて、長方形状とすることもできる。
【符号の説明】
【００３４】
１０  型枠保持具
１１  本体
１２ａ、１２ｂ、２２ａ、２２ｂ、３２ａ、３２ｂ  第１補強材挟持部
１３ａ、１３ｂ、２３ａ、２３ｂ、３３ａ、３３ｂ  第２補強材挟持部
１４  支持部
１５  パネル挟持部
１６  固定部材
１７  コンクリート型枠用合板
１８ａ、１８ｂ、１８ｃ、２８ｂ、３８ｂ  補強材
２５ａ、３５ａ  第１パネル挟持部
２５ｂ、３５ｂ  第２パネル挟持部
１９、２９、３９  コンクリート
【要約】
【課題】基礎型枠を構成する資材の保管スペースを小さくする型枠保持具及びコンクリート型枠を提供する。
【解決手段】重力方向に延びる角筒状の本体１１と、それぞれ、本体１１の第１の側面から突出し、本体１１の中心軸線方向に延びる一対の第１補強材挟持部１２ａ、１２ｂと、それぞれ、第１の側面の裏側に位置する、本体１１の第２の側面から突出し、本体１１の中心軸線方向に延びる一対の第２補強材挟持部１３ａ、１３ｂと、本体１１の第３の側面から突出し、本体１１の中心軸線方向に延びる支持部１４と、支持部１４によって支持され、第３の側面に対向し、本体の中心軸線方向に延びるパネル挟持部１５と、を有するものとする。
【選択図】図１【図１】
0006933347.tif 000002
【図２】
0006933347.tif 000003
【図３】
0006933347.tif 000004